(57)【要約】【課題】  レンズ交換式カメラにおいてカメラ本体側とレンズ側の双方でフォーカスモードが設定可能である場合、フォーカスモードが不一致でも、適切にフォーカス制御を行う。【解決手段】  撮像手段を有する撮像装置本体と、撮像装置本体にレンズ装置を着脱可能にする装着手段と、撮像装置本体に設けられ、オートフォーカスとマニュアルフォーカスとを切り換える第１の切換手段と、装着手段に装着されたレンズ装置にオートフォーカスとマニュアルフォーカスを切り換える第２の切換手段があるか否かを判定する判定手段と、を備え、判定手段が前記第２の切換手段があると判定した場合、第２の切換手段による設定に従って、レンズ装置の動作を制御する。【選択図】  図３
2020088756.tif 000002
【特許請求の範囲】
【請求項１】
撮像手段を有する撮像装置本体と、
前記撮像装置本体にレンズ装置を着脱可能にする装着手段と、
前記撮像装置本体に設けられ、オートフォーカスとマニュアルフォーカスとを切り換える第１の切換手段と、
前記装着手段に装着されたレンズ装置にオートフォーカスとマニュアルフォーカスを切り換える第２の切換手段があるか否かを判定する判定手段と、
前記判定手段が前記第２の切換手段があると判定した場合、前記第２の切換手段による設定に従って、前記レンズ装置の動作を制御することを特徴とする撮像装置。
【請求項２】
前記第１の切換手段と第２の切換手段の何れの設定を優先するかを設定する設定手段を備え、
前記制御手段は、
前記装着手段に装着されたレンズ装置が電子式フォーカスである場合、前記設定手段で設定された前記第１の切換手段または第２の切換手段の何れかの設定に従って、前記レンズ装置の動作を制御することを特徴とする請求項１に記載の撮像装置。
【請求項３】
前記制御手段は、
前記装着手段に装着されたレンズ装置が電子式フォーカスである場合、前記判定手段の判定に依らず、前記第１の切換手段の設定に従って、前記レンズ装置の動作を制御することを特徴とする請求項１に記載の撮像装置。
【請求項４】
前記制御手段は、
前記装着手段に装着されたレンズ装置が電子式フォーカスである場合、前記第１の切換手段または第２の切換手段の何れかにおいてマニュアルフォーカスが設定されていると、マニュアルフォーカスで前記レンズ装置の動作を制御することを特徴とする請求項１に記載の撮像装置。
【請求項５】
前記第１の切換手段は、前記撮像装置本体の外面に設けられ、外部から視認可能であることを特徴とする請求項１から請求項４の何れか１項に記載の撮像装置。
【請求項６】
前記第１の切換手段は、レバースイッチであることを特徴とする請求項１から請求項５の何れか１項に記載の撮像装置。
【請求項７】
前記制御手段によって制御されているフォーカス制御が、オートフォーカスとマニュアルフォーカスの何れかを示す表示手段を備えることを特徴とする請求項１から６の何れか１項に記載の撮像装置。
【発明の詳細な説明】
【技術分野】
【０００１】
本発明は、カメラのフォーカス制御に関する。
【背景技術】
【０００２】
カメラのフォーカス制御の方法として、オートフォーカス制御（Ａｕｔｏｆｏｃｕｓ、ＡＦと記す）とマニュアルフォーカス制御（Ｍａｎｕａｌｆｏｃｕｓ、ＭＦと記す）があり、ユーザはカメラの設定でＡＦとＭＦの何れかを選択することができる。
【０００３】
また、カメラに装着される交換レンズにＡＦとＭＦの切り換えるスイッチが備えられている場合があり、このようなレンズが装着されたレンズ交換式カメラでは、ＡＦとＭＦの設定を、カメラ本体側とレンズ側の両方で行うことができる。
【０００４】
下記特許文献１に開示されたカメラは、電動でマニュアルフォーカス操作が可能である電子式フォーカスのレンズがカメラに装着された場合、カメラ本体側のフォーカス操作部とレンズ側のフォーカス操作部の何れかを電動マニュアルフォーカス操作部として機能させることを開示している。
【先行技術文献】
【特許文献】
【０００５】
【特許文献１】特開２０１０−２８１８４８号公報
【発明の概要】
【発明が解決しようとする課題】
【０００６】
特許文献１には、カメラ本体側とレンズ側の夫々のマニュアル操作が競合してシステムが破綻するのを防止するカメラが開示されている。しかし、特許文献１には、レンズ側にＡＦとＭＦを切換え可能とするスイッチが備えられたものではなく、カメラ本体側とレンズ側でＡＦとＭＦの設定が不一致の場合の制御について何ら開示されていない。
【０００７】
本発明は、カメラ本体側とレンズ側のそれぞれでＡＦとＭＦの設定が可能な場合において、フォーカス制御が適切に行われるように実行することを目的としている。
【課題を解決するための手段】
【０００８】
本発明の１実施態様は、撮像手段を有する撮像装置本体と、前記撮像装置本体にレンズ装置を着脱可能にする装着手段と、前記撮像装置本体に設けられ、オートフォーカスとマニュアルフォーカスとを切り換える第１の切換手段と、前記装着手段に装着されたレンズ装置にオートフォーカスとマニュアルフォーカスを切り換える第２の切換手段があるか否かを判定する判定手段と、前記判定手段が前記第２の切換手段があると判定した場合、前記第２の切換手段による設定に従って、前記レンズ装置の動作を制御することを特徴とする。
【発明の効果】
【０００９】
カメラ本体側とレンズ側でＡＦとＭＦの設定が可能な場合において、フォーカス制御が適切に行われるように実行することが可能である。
【図面の簡単な説明】
【００１０】
【図１】本発明の第１実施形態に係るカメラシステムの構成を示すブロック図である。
【図２】各種方式の交換レンズの構成を示すブロック図である。
【図３】第１実施形態のカメラおよび交換レンズの外観を示した図である。
【図４】第１実施形態のフォーカスモード切り換え処理を説明するフロー図である。
【図５】第２実施形態のフォーカスモード切り換え処理を説明するフロー図である。
【図６】第２実施形態のフォーカスモード切り換え処理を説明するフロー図である。
【図７】本発明のカメラにおけるガイダンスおよびメニューの画面表示例である。
【発明を実施するための形態】
【００１１】
（第１実施形態）
本発明の第１実施形態についてレンズ交換式のデジタルカメラを例に用いて説明する。
【００１２】
図１は、第１実施形態のカメラシステムの構成を示すブロック図である。図２は、各種方式の交換レンズの構成を示すブロック図である。図３は、第１実施形態のデジタルカメラ１００および交換レンズ２００の外観図である。
【００１３】
図１を用いて、カメラ１００のシステム構成を説明する。
【００１４】
光学像は交換レンズ２００とシャッター１０２を通して撮像部１０３に結像する。撮像部１０３は光学像を電気信号に変換するＣＣＤやＣＭＯＳ素子等で構成される撮像素子である。Ａ／Ｄ変換器１０４は、撮像部１０３から出力されるアナログ信号をデジタル信号に変換する。画像処理部１０５は、Ａ／Ｄ変換器１０４からのデータ、又は、メモリ制御部１０６からのデータに対し所定の画素補間、縮小といったリサイズ処理や色変換処理を行う。
【００１５】
また、画像処理部１０５は、撮像により得られた画像データを用いて所定の演算処理を行い、得られた演算結果に基づいてシステム制御部１０１が露光制御、測距制御を行う。これにより、ＴＴＬ（スルー・ザ・レンズ）方式のＡＦ処理、ＡＥ（自動露出）処理、ＥＦ（フラッシュプリ発光）処理が行われる。画像処理部１０５は、更に、撮像により得られた画像データを用いて所定の演算処理を行い、得られた演算結果に基づいてＴＴＬ方式のＡＷＢ（オートホワイトバランス）処理も行っている。
【００１６】
Ａ／Ｄ変換器１０４から出力されたデータは、画像処理部１０５及びメモリ制御部１０６を介して、或いは、メモリ制御部１０６を介してメモリ１０７に直接書き込まれる。メモリ１０７は、撮像部１０３によって得られＡ／Ｄ変換器１０４によりデジタルデータに変換された画像データや、表示部１０９に表示するための画像データを格納する。メモリ１０７は、所定枚数の静止画像や所定時間の動画像および音声を格納するのに十分な記憶容量を備えている。
【００１７】
また、メモリ１０７は画像表示用のメモリ（ビデオメモリ）を兼ねている。Ｄ／Ａ変換器１０８は、メモリ１０７に格納されている画像表示用のデータをアナログ信号に変換して表示部１０９に供給する。こうして、メモリ１０７に書き込まれた表示用の画像データはＤ／Ａ変換器１０８を介して表示部１０９により表示される。
【００１８】
表示部１０９は、ＬＣＤ等の表示器上に、Ｄ／Ａ変換器１０８からのアナログ信号に応じた表示を行う。Ａ／Ｄ変換器１０８によって一度Ａ／Ｄ変換されメモリ１０７に蓄積されたデジタル信号をＤ／Ａ変換器１０８においてアナログ変換し、表示部１０９に逐次転送して表示することで、電子ビューファインダとして機能し、スルー画像表示を行える（以後、ライブビュー画像と記す）。
【００１９】
不揮発性メモリ１１０は、電気的に消去・記録可能なメモリであり、例えばＥＥＰＲＯＭ等が用いられる。不揮発性メモリ１１０には、システム制御部１０１の動作用の定数、プログラム等が記憶される。ここでいう、プログラムとは、後述する各種フローチャートを実行するためのプログラムのことである。
【００２０】
システム制御部１０１は、カメラ１００の全体を制御する。前述した不揮発性メモリ１１０に記録されたプログラムを実行することで、後述する各処理を実現する。１１１はシステムメモリであり、ＲＡＭが用いられる。システムメモリ１１１には、カメラシステム制御部１０１の動作用の定数、変数、不揮発性メモリ１１０から読み出したプログラム等を展開する。また、カメラシステム制御部１０１はメモリ１０７、Ｄ／Ａ変換器１０８、表示部１０９等を制御することにより表示制御も行う。システムタイマー１１２は各種制御に用いる時間や、内蔵された時計の時間を計測する計時部である。
【００２１】
シャッターボタン１１３、モード切り換えダイヤル１１６、電源ボタン１１７、フォーカスモード切り換えスイッチ１１８、操作部１１９はカメラシステム制御部１０１に各種の動作指示を入力するための操作手段である。
【００２２】
モード切り換えダイヤル１１６は、カメラシステム制御部１０１の動作モードを静止画記録モード、動画記録モード、再生モード、および各動作モードに含まれる詳細モードに切り換える。
【００２３】
第１シャッタースイッチ１１４（ＳＷ１（１１４））は、シャッターボタン１１３の操作途中、いわゆる半押し（撮影準備指示）でＯＮとなり第１シャッタースイッチ信号ＳＷ１を発生する。第１シャッタースイッチ信号ＳＷ１により、ＡＦ処理、ＡＥ処理、ＡＷＢ処理、ＥＦ処理等の動作を開始する。
【００２４】
第２シャッタースイッチ１１５（ＳＷ２（１１５））は、シャッターボタン１１３の操作完了、いわゆる全押し（撮影指示）でＯＮとなり、第２シャッタースイッチ信号ＳＷ２を発生する。カメラシステム制御部１０１は、第２シャッタースイッチ信号ＳＷ２により、撮像部１０３からの信号読み出しから記録媒体１２５に画像データを書き込むまでの一連の撮影処理の動作を開始する。
【００２５】
電源制御部１２０は、電池検出回路、ＤＣ−ＤＣコンバータ、通電するブロックを切り換えるスイッチ回路等により構成され、電源ボタン１１７の状態、電池の装着の有無、電池の種類、電池残量の検出を行う。また、電源制御部１２０は、その検出結果及びカメラシステム制御部１０１の指示に基づいてＤＣ−ＤＣコンバータを制御し、必要な電圧を必要な期間、記録媒体１２５を含む各部へ供給する。
【００２６】
電源部１２１は、アルカリ電池やリチウム電池等の一次電池やＮｉＣｄ電池やＮｉＭＨ電池、Ｌｉ電池等の二次電池、ＡＣアダプター等からなる。本実施形態では電源部（以下電池と記す）に二次電池を用いた場合の説明を行う。
【００２７】
カメラ１００は警告などの通知を音声で行うことができ、音声制御部１２２で生成された音声をスピーカー１２３で発音させることができる。
【００２８】
記録媒体Ｉ／Ｆ１２４は、メモリカードやハードディスク等の記録媒体１２５とのインターフェースである。記録媒体１２５は、撮影された画像を記録するためのメモリカード等の記録媒体であり、半導体メモリや磁気ディスク等から構成される。
【００２９】
操作部１１９の各操作部材は、表示部１０９に表示される種々の機能アイコンを選択操作することなどにより、場面ごとに適宜機能が割り当てられ、各種機能ボタンとして作用する。機能ボタンとしては、例えば終了ボタン、戻るボタン、画像送りボタン、ジャンプボタン、絞込みボタン、属性変更ボタン等がある。
【００３０】
例えば、図３（Ａ）に示すように、カメラ１００の撮像装置本体の背面のメニューボタン３０１が押されると、各種設定を行うメニュー画面が表示部１０９に表示される。ユーザは、表示部１０９に表示されたメニュー画面と、上下左右の４方向にボタンを備えた十字ボタン３０２やＳＥＴボタン３０３とを用いて直感的に各種設定を行うことができる。コントローラホイール３０４、電子ダイヤル３０５は、操作部１１９に含まれる回転操作可能な操作部材であり、方向ボタンと共に選択項目を指示するときなどに使用される。
【００３１】
コントローラホイール３０４や電子ダイヤル３０５を回転操作すると、操作量に応じて電気的なパルス信号が発生し、このパルス信号に基づいてカメラシステム制御部１０１はカメラ１００の各部を制御する。このパルス信号によって、コントローラホイール３０４や電子ダイヤル３０５が回転操作された角度や、何回転したかなどを判定することができる。なお、コントローラホイール３０４や電子ダイヤル３０５は回転操作が検出できる操作部材であればどのようなものでもよい。例えば、ユーザの回転操作に応じてコントローラホイール３０４や電子ダイヤル３０５自体が回転してパルス信号を発生するダイヤル操作部材であってもよい。また、タッチセンサよりなる操作部材で、コントローラホイール３０４自体は回転せず、コントローラホイール３０４上でのユーザの指の回転動作などを検出するもの（いわゆる、タッチホイール）であってもよい。
【００３２】
フォーカスモード切り換えスイッチ１１８（第１の切換手段）は、カメラ１００の本体の外面に設けられたレバー形状のメカニカルスイッチ（レバースイッチ）である。フォーカスモード切り換えスイッチ１１８の先端の指標位置を切り換えることでＡＦとＭＦを切り換えることができる。フォーカスモード切り換えスイッチ１１８の指標位置は、カメラ１００の外部から視認可能であるため、カメラ１００側で現在設定されているフォーカス制御のモードがどちらのモードであるかをユーザは容易に確認することができる。すなわち、フォーカスモード切り換えスイッチ１１８は、ユーザにとって視認性と操作性がよい。
【００３３】
カメラ１００の底面から電池１２１と記録媒体１２５を挿入することができ、開閉可能なカバー３０６で蓋をすることができる。
【００３４】
無線通信Ｉ／Ｆ１２６で外部機器と無線通信を行うことが可能である。無線通信Ｉ／Ｆ１２６を介して、他のカメラや、携帯端末、ＰＣなどの端末に撮影で得られた画像データを送信することができる。また、無線通信Ｉ／Ｆ１２６を介した通信により、携帯端末からカメラ１００を遠隔制御して撮影することも可能である。
【００３５】
レンズ通信Ｉ／Ｆ１２７は、カメラ１００に取り付けられた交換レンズ２００と電気的に通信（レンズ通信）を行うためのインターフェースである。レンズ通信によってレンズ駆動の指示や交換レンズ２００側で設定されたフォーカス制御のモードに関する状態通知を行うことができる。なお、図示しないが、カメラ１００は交換レンズ２００を着脱可能とするマウントを装着部材として有している。
【００３６】
図２を用いて、各種方式の交換レンズ２００のシステム構成について説明する。交換レンズのフォーカス方式として、電子式フォーカスと機械式フォーカスの２種類がある。
【００３７】
図２（Ａ）は、電子式フォーカスレンズ（フォーカスモード切り換えスイッチ２０５あり）のシステム図である。レンズの制御はレンズシステム制御部２０１によって行われる。レンズ２０２はフォーカスを行うためのレンズ群である。モータやギアを含むレンズ駆動部２０３は、フォーカスレンズ２０２と機械的に接続されており、レンズ駆動部２０３を動作させることによってフォーカスレンズ２０２を移動させる。
【００３８】
フォーカス操作部２０４は、例えばリング状の操作部材であり、ユーザはフォーカス操作部２０４を手動で操作することによってピント調整（フォーカス制御）を行うことができる（ＭＦ）。フォーカスモード切り換えスイッチ２０５（第２の切換手段）は、交換レンズ２００の側でフォーカス制御のモードをＡＦとＭＦで切り換えるための操作部材である。交換レンズ２００とカメラ１００本体の間では、カメラ通信Ｉ／Ｆ２０６を介して制御信号の通信が行われ、交換レンズ側におけるフォーカスモード切り換えスイッチの有無やフォーカス駆動方式（電子式／機械式）の情報、フォーカス制御のモード（ＡＦ／ＭＦ）の設定情報などが、交換レンズ２００からカメラ本体１００に伝達される。
【００３９】
電子式フォーカスレンズがカメラ１００に装着されてＡＦが設定されている場合は、交換レンズ２００がカメラ１００からのＡＦの動作指示を受け、レンズシステム制御部２０１がレンズ駆動部２０３を制御してフォーカスレンズ２０２を移動させる。また、ＭＦが設定されている場合は、フォーカス操作部２０４を回転させると、回転角度に応じたパルス信号が発生し、このパルス信号をレンズシステム制御部２０１がレンズの移動量に変換してレンズ駆動部２０３を制御する。レンズの移動制御は電子的に行われるため、仮にフォーカスモード切り換えスイッチ２０５がＡＦ設定になっていても、カメラ本体１００からの指示によりＭＦ設定と同様の制御を実行することが可能である。逆にフォーカスモード切り換えスイッチ２０５がＭＦ設定になっていてもＡＦ動作させることが可能になる（フォーカスモード切り換えスイッチ２０５の設定を無視する制御が可能）。
【００４０】
図２（Ｂ）は、機械式フォーカスレンズのシステム図である。各ブロックに関しては図２（Ａ）の電子式フォーカスレンズと同じであるが、機械式フォーカスレンズでは、レンズ駆動部２０３とフォーカスレンズ２０２は機械的に接続、非接続を切り換えることが可能である。この切り換えはフォーカスモード切り換えスイッチ２０５のＡＦ位置とＭＦ位置に連動しており、スイッチがＡＦ位置のときは接続、ＭＦ位置のときは非接続となる。ＡＦ設定時はカメラ本体１００からのＡＦ動作指示を受け、レンズシステム制御部２０１がレンズ駆動部２０３を制御してフォーカスレンズ２０２の移動を行う。
【００４１】
一方、ＭＦ設定時はレンズ駆動部２０３がフォーカスレンズ２０２と機械的に切り離された状態になるため、フォーカス操作部２０４を回転させることによりフォーカスレンズ２０２の移動が可能となる。レンズの移動制御は機械的に行われるため、フォーカスモード切り換えスイッチ２０５がＡＦ設定時は、フォーカスレンズに機械的に接続されたレンズ駆動部２０３が負荷となり、フォーカス操作部２０４を手動で回転させることができない。逆にフォーカスモード切り換えスイッチ２０５がＭＦ設定時はレンズ駆動部２０３がフォーカスレンズ２０２から機械的に切り離されているためＡＦ動作させることができない（フォーカスモード切り換えスイッチ２０５の設定を無視することができない）。
【００４２】
図２（Ｃ）は電子式フォーカスレンズ（フォーカスモード切り換えスイッチ２０５なし）のシステム図である。図２−３は図２−１と構成が同じであり、フォーカスモード切り換えスイッチ２０５がない点のみが異なる。この交換レンズでは、レンズ側でのフォーカスモードの切り換えはできないため、カメラ本体１００からフォーカスモードの設定状態を取得してレンズを電子的に制御する。
【００４３】
図３（Ｂ）はカメラ１００に交換レンズ２００を装着した状態を示す外観図である。フォーカスモード切り換えスイッチ２０４はレンズ側面に位置している。なお、図２（Ｃ）の構成のレンズにはフォーカスモード切り換えスイッチはレンズに付かない。
【００４４】
また、本実施形態では、フォーカスモード切り換えスイッチ２０５（以後、レンズ側スイッチ２０５と記す）を備えた交換レンズ２００がカメラ１００に装着された場合にレンズ側のレンズ側スイッチ２０５の設定を優先させる処理について、図４のフロー図を使用して説明する。
【００４５】
カメラ１００の電源がＯＮになると、カメラ側のフォーカスモード切り換えスイッチ１１８（以後、カメラ側スイッチ１１８と記す）の有効／無効を示すフラグ（以後、カメラ側スイッチフラグと記す）を初期値である無効に設定する（Ｓ４０１）。この後、カメラ１００は撮影待機状態になり、各処理イベントの監視を行う。
【００４６】
交換レンズ２００がカメラ１００に装着されるイベントを検出すると（Ｓ４０２）、レンズ装着時のフォーカスモード設定処理を実行する。まず、交換レンズ２００にレンズ側スイッチ２０５が有るか否かを判別する（Ｓ４０３）。レンズ側スイッチが有ると判断した場合、カメラ側スイッチフラグを無効にする（Ｓ４０４）。
【００４７】
次に、レンズ側スイッチ２０５の設定状態を確認し（Ｓ４０５）、ＡＦの設定であれば現在のフォーカスモードをＡＦに設定（Ｓ４０６）する。また、ＭＦの設定であれば現在のフォーカスモードをＭＦに設定する（Ｓ４０７）。
【００４８】
一方、装着されたレンズにレンズ側イッチがない場合は、カメラ側スイッチフラグを有効にする（Ｓ４０８）。さらに、カメラ側スイッチ１１８の設定状態を確認し（Ｓ４０９）、ＡＦの設定であれば現在のフォーカスモードをＡＦに設定（Ｓ４１０）する。また、設定がＭＦであればフォーカスモードをＭＦに設定する（Ｓ４１１）。
【００４９】
フォーカスモードの設定が終わったら現在のフォーカスモードを表示部１０９にガイダンス表示する（Ｓ４１２）。ガイダンス表示の一例を図７に示す。図７（Ａ）はＡＦに設定された場合で、図７（Ｂ）はＭＦに設定された場合を示す。
【００５０】
撮影待機状態において、カメラ側スイッチ１１８が操作されるイベントを検出すると、カメラ側スイッチフラグを確認する（Ｓ４１４）。フラグが有効であればカメラ側スイッチの設定状態１１８を確認する（Ｓ４１５）カメラ側スイッチの設定がＡＦであれば現在のフォーカスモードをＡＦに設定（Ｓ４１６）する。また、ＭＦであれば現在のフォーカスモードをＭＦに設定する（Ｓ４１７）。
【００５１】
フォーカスモードの設定が終わったら現在のフォーカスモードを表示部１０９にガイダンス表示する（Ｓ４１８）。ガイダンス表示の一例を図７（Ａ）（Ｂ）に示す。
【００５２】
また、Ｓ４１４においてカメラ側スイッチフラグが無効であれば、ユーザのカメラ側スイッチ１１８を用いたフォーカスモード操作は無効であるため、表示部１０９に有効な切り換え操作方法をガイダンス表示する（Ｓ４１９）。ガイダンス表示の一例を図７（Ｃ）に示す。
【００５３】
撮影待機状態において、レンズ側スイッチ２０５が操作されるイベントを検出したら、レンズ側スイッチの設定状態を確認し（Ｓ４２１）、ＡＦの設定であれば現在のフォーカスモードをＡＦに設定（Ｓ４２２）する。また、ＭＦであればフォーカスモードをＭＦに設定する（Ｓ４２３）。
【００５４】
フォーカスモードの設定が終わったら現在のフォーカスモードを表示部１０９にガイダンス表示する（Ｓ４１８）。ガイダンス表示の一例を図７（Ａ）（Ｂ）に示す。なお、レンズ側スイッチの操作イベントは、カメラ１００に装着された交換レンズ２００にレンズ側スイッチが付いている場合のみに発信されるものである。
【００５５】
撮影待機状態において、カメラ１００から交換レンズ２００が取り外されたイベントを検出すると、現在のフォーカスモードをＭＦに設定して（Ｓ４２６）、カメラ側スイッチフラグを無効にする（Ｓ４２７）。そして現在のフォーカスモードを表示部１０９にガイダンス表示を行う（Ｓ４２８）。ガイダンス表示の一例を図７（Ｄ）に示す。
【００５６】
最後に、撮影待機状態において、カメラの電源がＯＦＦされたらば処理を終了する。
【００５７】
本実施形態によると、レンズ交換式のカメラ１００にＡＦとＭＦが切換え可能な交換レンズ２００が装着された場合、カメラ本体側とレンズ側の設定が競合してもフォーカス制御が適切に行われるように、レンズが電子式フォーカスレンズか機械式フォーカスレンズかに依らず、レンズ側の設定を優先することを特徴としている。上述したように、交換レンズ２００が電子式フォーカスの場合は、機械式フォーカスと異なり、カメラ本体側とレンズ側のいずれの設定を優先してもフォーカス制御が可能である。しかし、本実施形態ではいずれの方式の場合でも一律にレンズ側の設定を優先することで、ユーザの混乱を防止することができる。
【００５８】
（第２実施形態）
第１実施形態は、レンズ側スイッチ２０５が付いた交換レンズ２００がカメラ１００に装着された場合に、交換レンズ２００の方式に依らず、カメラ側スイッチ２１８の設定を無効化し、レンズ側スイッチ２０５の設定に従って、フォーカス制御を行う形態である。第２実施形態は、交換レンズ２００が電子式フォーカスの場合に、カメラ側スイッチ２１８とレンズ側スイッチ２０５のいずれの設定を優先するかを、ユーザが設定できることを特徴としている。
【００５９】
図５、図６を主に参照して、本実施形態の説明を行う。
【００６０】
カメラ１００の電源がＯＮになると、カメラ側スイッチ１１８とレンズ側スイッチ２０４どちらを優先させるかのメニュー設定の設定状態を確認する（Ｓ５０１）。カメラ側スイッチ２１８を優先する設定になっている場合はカメラ側スイッチフラグを有効にし（Ｓ５０２）、さらにレンズ側スイッチフラグを無効に設定する（Ｓ５０３）。また、レンズ側スイッチ２０５を優先する設定になっていた場合はカメラ側スイッチフラグを無効にし（Ｓ５０４）、さらにレンズ側スイッチを有効に設定する（Ｓ５０５）。電源ＯＮ時の初期設定が終わったらカメラ１００は撮影待機状態になり各処理イベントの監視を行う。
【００６１】
交換レンズ２００がカメラ１００に装着されたイベントを検知したら（Ｓ５０６）レンズ装着時のフォーカスモード設定処理を実行する。まず、交換レンズ２００が電子式フォーカス対応レンズか否かを判断する（Ｓ５０７）。電子式フォーカス対応でない場合、すなわち機械式フォーカスレンズであった場合、交換レンズのフォーカスモード設定を無視することはできないためレンズ側設定が優先となり、カメラ側スイッチフラグを無効に設定（Ｓ５０８）する。
【００６２】
さらに、レンズ側スイッチフラグを有効に設定する（Ｓ５０９）。次に、レンズ側スイッチ２０４の設定状態を確認し（Ｓ５１０）、ＡＦの設定であれば現在のフォーカスモードをＡＦに設定（Ｓ５１１）、ＭＦであればフォーカスモードをＭＦに設定する（Ｓ５１２）。フォーカスモードの設定が完了したら現在のフォーカスモードをガイダンス表示する（Ｓ５２６）。ガイダンス表示の一例を図７（Ａ）（Ｂ）に記す。
【００６３】
装着した交換レンズ２００が電子式フォーカス対応であれば（Ｓ５０７）、レンズ側スイッチが付いているか否かを判断する（Ｓ５１３）。レンズ側スイッチ２０４が付いていない場合はカメラ本体側でフォーカスモードの変更する必要があるため、カメラ側スイッチフラグを有効に設定（Ｓ５１４）、さらにレンズ側スイッチフラグを無効に設定する（Ｓ５１５）。
【００６４】
次に、カメラ側スイッチ１１８の設定状態を確認し（Ｓ５１６）、ＡＦの設定であれば現在のフォーカスモードをＡＦに設定し（Ｓ５１７）、ＭＦであればフォーカスモードをＭＦに設定する（Ｓ５１８）。フォーカスモードの設定が完了したら現在のフォーカスモードをガイダンス表示する（Ｓ５２６）。ガイダンス表示の一例を図７（Ａ）（Ｂ）に記す。
【００６５】
レンズ側スイッチ２０４が付いている場合（Ｓ５１３）、カメラ側スイッチ１１８とレンズ側スイッチ２０４どちらを優先させるかのメニュー設定の設定状態を確認し（Ｓ５１９）、カメラ側スイッチを優先する設定になっていた場合はカメラ側スイッチの設定状態を確認する（Ｓ５２０）。ＡＦの設定であれば現在のフォーカスモードをＡＦに設定し（Ｓ５２１）、ＭＦであればフォーカスモードをＭＦに設定する（Ｓ５２２）。また、レンズ側スイッチ２０４を優先する設定になっていた場合（Ｓ５１９）は、レンズ側スイッチの設定状態を確認する（Ｓ５２３）。ＡＦの設定であれば現在のフォーカスモードをＡＦに設定（Ｓ５２４）し、ＭＦであればフォーカスモードをＭＦに設定する（Ｓ５２５）。いずれもフォーカスモードの設定が完了したら現在のフォーカスモードをガイダンス表示する（Ｓ５２６）。ガイダンス表示の一例を図７（Ａ）（Ｂ）に記す。
【００６６】
撮影待機状態において、カメラ側スイッチが操作されたイベントを検知したら（Ｓ５２７）、カメラ側スイッチフラグを確認する（Ｓ５２８）。有効であればカメラ側スイッチ１１８の設定状態を確認する（Ｓ５２９）。ＡＦの設定であれば現在のフォーカスモードをＡＦに設定し（Ｓ５３０）、ＭＦであればフォーカスモードをＭＦに設定する（Ｓ５３１）。フォーカスモードの設定が終わると、現在のフォーカスモードを表示部１０９にガイダンス表示する（Ｓ５３２）。ガイダンス表示の一例を図７（Ａ）（Ｂ）に記す。
【００６７】
また、Ｓ５２８においてカメラ側スイッチフラグが無効であれば、ユーザのカメラ本体側フォーカスモード変更操作は無効であるため、表示部１０９に有効な切り換え操作方法をガイダンス表示する（Ｓ５３３）。ガイダンス表示の一例を図７（Ｃ）に記す。
【００６８】
撮影待機状態において、レンズ側スイッチが操作されたイベントを検知したら（Ｓ５３４）、レンズ側スイッチフラグを確認する（Ｓ５３５）。有効であればレンズ側スイッチの設定状態２０４を確認する（Ｓ５３６）。ＡＦの設定であれば現在のフォーカスモードをＡＦに設定（Ｓ５３７）、ＭＦであればフォーカスモードをＭＦに設定する（Ｓ５３８）。フォーカスモードの設定が終わったら現在のフォーカスモードを表示部１０９にガイダンス表示する（Ｓ５３９）。
【００６９】
また、Ｓ５３５においてレンズ側スイッチフラグが無効であれば、ユーザのレンズ側フォーカスモード変更操作は無効であるため、表示部１０９に有効な切り換え操作方法をガイダンス表示する（Ｓ５４０）ガイダンス表示の一例を図７（Ｄ）に記す。なお、レンズ側スイッチの操作イベントは、装着された交換レンズ２００にレンズ側スイッチ２０４が付いている場合のみに発信されるものである。
【００７０】
撮影待機状態において、交換レンズ２００が取り外されたイベントを検知したら（Ｓ５４１）、現在のフォーカスモードをＭＦに設定し（Ｓ５４２）、カメラ側スイッチフラグを無効にする（Ｓ５４３）。さらにレンズ側スイッチフラグを無効にし（Ｓ５４４）、現在のフォーカスモードを表示部１０９にガイダンス表示する（Ｓ５４５）。
【００７１】
撮影待機状態において、フォーカスモード優先設定メニュー実行イベントを検知したら（Ｓ５４６）、設定メニュー画面を表示する（Ｓ５４７）。設定メニュー画面の一例を図７（Ｅ）（Ｆ）に記す。
【００７２】
設定メニュー画面において設定項目の確定操作が実行されたら（Ｓ５４８）、現在のカーソル選択状態を確認する（Ｓ５４９）。カメラ側操作優先設定になっていた場合（図７（Ｅ））、カメラ側スイッチフラグを有効に設定し（Ｓ５５０）、レンズ側スイッチフラグを無効に設定する（Ｓ５５１）。またレンズ側操作優先設定になっていた場合（図７（Ｆ））、カメラ側スイッチフラグを無効に設定し（Ｓ５５２）、レンズ側スイッチフラグを有効に設定する（Ｓ５５３）。フラグの設定処理が完了すると設定メニュー画面を終了し（Ｓ５５５）、撮影待機画面に戻る。また、設定メニュー画面においてキャンセルが実行されたら（Ｓ５５４）、設定メニュー画面を終了し（Ｓ５５５）撮影待機状態に戻る。
【００７３】
撮影待機状態において電源をＯＦＦされたら（Ｓ５５６）フォーカスモード切り換え処理を終了する。
【００７４】
本実施形態によると、装着レンズ２００が電子式フォーカスの場合に、優先する設定をユーザに選択可能にすることで、よりユーザの操作性を高めることが可能となる。
【００７５】
（その他の実施形態）
第２実施形態では、装着された交換レンズ２００が電子式フォーカスの場合に、カメラ側スイッチ２１８とレンズ側スイッチ２０５のいずれの設定を優先するかを、ユーザが設定できることを特徴としている。しかし、上述したように、上述したように、交換レンズ２００が電子式フォーカスの場合は、機械式フォーカスと異なり、カメラ本体側とレンズ側のいずれの設定を優先してもフォーカス制御が可能である。
【００７６】
よって、他の実施形態として、電子式フォーカスの場合、カメラ側の設定を優先することができる。図３（Ａ）に示すようにカメラ側スイッチ１１８の設定が視認しやすい位置に設けられているので、設定が競合した場合は視認性のよいカメラ側の設定を優先することでユーザの操作性を向上することができる。
【００７７】
また、他の実施形態として、電子式フォーカスの場合、カメラ本体側とレンズ側のいずれかでＭＦが設定されていると、ＭＦが設定されている側を優先することができる。ユーザがＭＦで撮影したい場合、いずれでも側でもＭＦに設定すればよいので、即座にＭＦによる撮影が可能となる。
【００７８】
以上、本発明の好ましい実施形態について説明したが、本発明はこれらの実施形態に限定されず、その要旨の範囲内で種々の変形及び変更が可能である。
【００７９】
また、本発明は、上述した実施形態の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【図１】
2020088756.tif 000003
【図２】
2020088756.tif 000004
【図３】
2020088756.tif 000005
【図４】
2020088756.tif 000006
【図５】
2020088756.tif 000007
【図６】
2020088756.tif 000008
【図７】
2020088756.tif 000009